(57)【要約】【課題】揚穀選別機にあっては、比較的小さい回転径の螺旋軸を構成し、小径の選別筒等を主体とするものであるから、揚穀粒の詰りや、選別孔の目詰り等を生じ易く、又、選別筒の摩耗も著しいものであり、内部の掃除や、補修等のメンテナンス性が簡単、容易であることを要する。【解決手段】基台１のモータ２に連結して駆動される螺旋軸３に沿って、供給漏斗４を有すると共に軸方向に沿う選別フレーム５を有した最下段部の供給筒６と、この供給筒６上に接合の選別筒７と、排出口８を有してこの選別筒７上に接合の最上段部の排出筒９とを連接し、この排出筒９を、該螺旋軸３の上端部に嵌合させて軸受すると共に、前記選別フレーム５の上端部に締付固定可能に設けたことを特徴とする揚穀選別機の構成とする。【選択図】図１
2009066470.tif 000002
【特許請求の範囲】
【請求項１】
基台（１）のモータ（２）に連結して駆動される螺旋軸（３）に沿って、供給漏斗（４）を有すると共に軸方向に沿う選別フレーム（５）を有した最下段部の供給筒（６）と、この供給筒（６）上に接合の選別筒（７）と、排出口（８）を有してこの選別筒（７）上に接合の最上段部の排出筒（９）とを連接し、この排出筒（９）を、該螺旋軸（３）の上端部に嵌合させて軸受すると共に、前記選別フレーム（５）の上端部に締付固定可能に設けたことを特徴とする揚穀選別機。
【請求項２】
前記選別筒（７）は、螺旋軸（３）の回転方向に沿って長く形成の選別孔（１０）を有した半円筒形態の一対の選別板（１１）相互間を、この回転方向始端縁（１２）を終端縁（１３）部の外側周面に、かつこの選別孔（１０）始端部に重合させて接合し、円筒形態の選別筒（７）を形成することを特徴とする請求項１に記載の揚穀選別機。
【発明の詳細な説明】
【技術分野】
【０００１】
螺旋軸を軸装した選別筒内を揚穀しながら穀粒選別を行う揚穀選別機に関し、選別筒や螺旋軸の組立、分解を簡単、容易にして、メンテナンスを行い易くするものである。
【背景技術】
【０００２】
螺旋軸を軸装した選別筒を傾斜させて、穀粒を揚穀しながら選別する揚穀選別機の構成（例えば、特許文献１参照）が知られている。
【特許文献１】実公平８−１０３７１号公報（第２頁、図１）
【発明の開示】
【発明が解決しようとする課題】
【０００３】
揚穀選別機にあっては、比較的小さい回転径の螺旋軸を構成し、小径の選別筒等を主体とするものであるから、揚穀粒の詰りや、選別孔の目詰り等を生じ易く、又、選別筒の摩耗も著しいものであり、内部の掃除や、補修等のメンテナンス性が簡単、容易であることを要する。
【課題を解決するための手段】
【０００４】
請求項１に記載の発明は、基台１のモータ２に連結して駆動される螺旋軸３に沿って、供給漏斗４を有すると共に軸方向に沿う選別フレーム５を有した最下段部の供給筒６と、この供給筒６上に接合の選別筒７と、排出口８を有してこの選別筒７上に接合の最上段部の排出筒９とを連接し、この排出筒９を、該螺旋軸３の上端部に嵌合させて軸受すると共に、前記選別フレーム５の上端部に締付固定可能に設けたことを特徴とする揚穀選別機の構成とする。基台１上に螺旋軸３を設けてモータ２によって駆動可能に設けておく。この螺旋軸３の周りには、供給漏斗４と選別フレーム５を有した供給筒６と、選別筒７、及び排出口８を有する排出筒９を順次上方へ連接させるように嵌合させて、最上端部の排出筒９によって螺旋軸３の上端部を軸受けすると共に、この排出筒９を選別フレーム５の上端部に締付けて固定する。又、これらと逆の手順で各排出筒９、選別筒７、及び供給筒６等の分解を行うことができる。供給漏斗４に供給する穀粒は、螺旋軸３の回転によって選別筒７内を揚穀される間に、この選別筒７への選別孔から屑粒が漏出され、整粒が排出筒９の排出口８から取出される。
【０００５】
請求項２に記載の発明は、前記選別筒７は、螺旋軸３の回転方向に沿って長く形成の選別孔１０を有した半円筒形態の一対の選別板１１相互間を、この回転方向始端縁１２を終端縁１３部の外側周面に、かつこの選別孔１０始端部に重合させて接合し、円筒形態の選別筒７を形成することを特徴とする。選別筒７は、選別孔１０を形成した半円筒形態の一対の選別板１１を合わせて円筒形態に構成するものであるから、各選別板１１の成形、及び選別筒７の構成が簡単であり、成形加工等が容易である。又、これによって構成された選別筒７は、重合接合の始端縁１２を選別孔１０の始端部外側に位置させて形成するため、この選別孔１０における穀粒の目詰を解消して、良好な選別作用を行わせることができる。
【発明の効果】
【０００６】
請求項１に記載の発明は、基台１上の供給筒６、及び螺旋軸３周りに選別筒７、及び排出筒９等を嵌合して上方へ継ぎ足す形態にして組み立てることができ、この最上部に嵌合する排出筒９で螺旋軸３上端部を軸受けすることによって、揚穀選別機の組立、分解を簡単、容易に行うことができ、掃除、メンテナンス等を行い易くするものである。又、選別筒７の下端部は供給筒６と嵌合し、上端部は排出筒９と嵌合して、内部に沿う螺旋軸３を回転させるものであるから、この選別筒７の支持構成が案内して、回転する螺旋軸３の間隔を一定に維持して、円滑な選別作用を行わせることができる。
【０００７】
請求項２に記載の発明は、半円筒形態に成形の一対の選別板１１を合わせて選別筒７を構成すると共に、これら各選別板１１の始端縁１２と終端縁１３を内外に重合させて接合するため、選別筒７の形成、構成を簡単、容易に行うことができ、又、この選別板１１の始端縁１２を選別孔１０の終端外側に突出させるように形成するため、これら選別板１１の終端縁１３で穀粒を掻きまわすことが少なく、この選別孔１０に沿って嵌合移動される穀粒の目詰りを防止することが出来る。又、螺旋軸３の回転外周縁部にブラシ等を形成して、選別筒７の内周面に摺動回転させる形態等では、前期選別板１１の終端縁１３が段付きで外方へ逃げるように形成されるため、ブラシの摩耗等を少なくして、円滑な選別孔１０の掃除作用を行うことができる。
【発明を実施するための最良の形態】
【０００８】
図例に基づいて、モータ２を取付けた基台１は、パイプ材を台形状に形成して前後左右の四脚部１４，１５を有する。この基台１の上面にはベース板１６を前下り傾斜に形成して、選別フレーム５を取付支持する。このモータ２は外周にカバー１７を設けている。ベース板１６上には供給筒６を支持する。この供給筒６は下部に螺旋軸３の下端部を軸受するベアリング１８を設け、この軸受部の上側に供給口１９を形成して、上側に供給漏斗４を取付可能に構成している。又、この供給口１９の下側には、この供給筒６内に残留する残留物を排出する排出口２０、及びこの排出口２０を開閉するシャッター２１等を設ける。供給筒６、及びこれに軸受けする螺旋軸３は、適宜の傾斜角度に設定される。この螺旋軸３の下端部はモータ軸２２に連結して連動回転させる。又、供給筒６には螺旋軸３に略平行状の選別フレーム５の下端部を一体として、この選別フレーム５の上端部には、前記排出筒９の下端部を嵌合する支持穴２３を形成したプレートブラケット２４を形成する。
【０００９】
選別筒７は、螺旋軸３の回転方向に沿って長く形成された長孔からなる選別孔１０を並列形態に形成し、この選別孔１０を形成した半円筒形態の選別板１１一対を合わせて選別筒７を構成する。この選別板１１は、適宜長さの選別孔１０を一定間隔に形成して軸方向に並列形成する。これら各選別孔１０の並びである選別孔列の相互間に無孔の選別孔間隔部２５を形成し、これら選別板１１の左右両端部に適宜幅にわたって無孔の始端縁１２終端縁１３を形成している。半円筒形状の選別板１１相互を合わせて円筒形態の選別筒７を形成するには、一対の選別板１１の始端部１２を終端縁１３の外周面に重合させるようにして、相互間を溶接等によって接合して一体構成とする。これら始端縁１２を重合させるとき、選別孔１０の終端部に若干のぞむ形態に設定している。このような始端縁１２が選別孔１０の終端外周部にのぞむことによって、選別作用時には、選別孔１０に嵌合した形態の穀粒が、この選別孔の終端部へ移動されると、この重合代の終端縁１２に係合されて、穀粒が揺動、乃至回動されて、選別孔１０の内側、又は外側へ脱出し易くなり、目詰まりを防止することができる。又、このような選別板１１相互の重合代のない、単なる選別間隔部２５の形成される箇所の選別孔１０の終端位置には、丸棒形態等のストッパー２６を形成して、始端縁１２と同じ機能を持たせて、目詰まりを防止する。
【００１０】
前記供給筒６の上端には、このような選別筒７を螺旋軸３周りに嵌合させるようにして接合する。この選別筒７の下端部には連接リング２７を形成し、この連接リング２７を供給筒６の上端外周面に嵌合させて、内面は螺旋軸３の回転による揚穀案内を円滑に行わせる構成としている。又、選別筒７の上端にも連接リング２８を形成して、前記排出筒９の下端縁部２９を嵌合させる構成としている。この選別筒７を選別フレーム５に沿わせるようにして、下側の供給筒６と上側のブラケット２４との間に位置させた状態で、このブラケット２４の上側部から、鍔３０付の排出筒９下端縁部２９を、この支持穴２３を通して差込み、この下端縁部２９を選別筒７上端部に嵌合させて、これら鍔３０部とブラケット２４との間をボルト３７締め等によって締付固定することにより組立てることができる。排出筒９は上端部にベアリング３１を有し、螺旋軸３の上端を軸受けする。又、排出口８にはシュート３２を取付けている。
【００１１】
前記螺旋軸３は、揚穀用の螺旋翼３３を供給筒６部内から排出筒９内部にわたって一連に形成して、揚穀搬送するように構成している。又、選別筒７の搬送域においては、一定間隔にブラシ３４を配置して、ブラシ３４の先端部を選別筒７の内周面に摺接させる形態に構成している。
選別筒７の外周部には、前記選別フレーム５部に選別カバー３５を取付けて、この選別筒７を覆い、この選別筒７の選別孔１０から漏下する屑粒を受けて、下端部のシュート３６から取り出すように構成している。
【００１２】
前記供給筒６の下端部に設ける残留物取出用の排出口２０の外側には、山形状のシャッター２１を開閉可能に設ける。このシャッター２１は左右両側に回動自在のセットボルト３８を設けて、供給筒６の両側に突出するブラケット３９に対して螺挿し、このシャッター２１を排出口２０へ接近させて閉鎖状態Ａにしたり、排出口２０から離間させて、開口排出状態Ｂにすることができる。４１はセットボルト３８を螺挿するためのブラケット３９に固定された固定ナットであり、４０はセットボルト３８の先端に固定のストッパナットで、ボルト３８の抜止めのために形成している。シャッター２１の供給筒６側面にはスポンジ４５を貼設し、閉鎖状態Ａ時に穀粒が漏れないようにしてある。このシャッター２１を排出口２０から適宜間隔に浮かせるようにして開くことによって、この排出口２０から下側のベース板１６上面に排出流下される穀粒の飛散を防止して所定の排出域に排出して、排出処理を行い易くすると共に、低位置にあってシュート等を設置し難い条件のもとにおいては、構成簡単で、安定したシャッター２１の開閉、穀粒排出を行わせることができる。
【００１３】
供給漏斗４から穀粒を供給して、モータ２の駆動によって螺旋軸３を駆動すると、この螺旋軸３の回転によって、供給穀粒が供給筒６から選別筒６内へ搬送される。この選別筒６内を揚穀される間に選別孔１０から屑粒が外側へ漏出されて、上方の排出筒９へ搬送される整粒とに選別される。整粒は排出口８のシュート３２から排出されて袋詰される。又、選別筒７の外周面に漏出される屑粒は、選別カバー３５に受けられて、この下端部のシュート３６から排出されて袋詰めされる。又、供給筒６内の残留物を取出すときは、上記のようにセットボルト３８を回動して、シャッター２１を排出口２０から浮上することによって、残留物がこの排出口２０からシャッター２１上面へ流下して、ベース板１６の傾斜面を流下案内される。
【００１４】
前記螺旋軸３の回転による選別筒７内の揚穀作用中、穀粒がこの選別筒７の長孔形態の選別孔１０方向に沿って旋回移動される間に、屑粒等がこの選別孔１０を抜けて外側へ漏出されるが、一部の穀粒が選別孔１０に嵌合した状態で移動されると、この選別孔１０の終端外周面側に突出する始端縁１２や、ストッパー２６等に係止されて、この穀粒が回動、乃至揺動されるようになり、選別孔１０の内側、又は外側へ外れて、選別孔１０の目詰現象を少なくすることができる。このような始端縁１２やストッパー２６等の案内部材を設けた選別筒７は、穀粒が案内部材に当接して回動され、目詰り状態が解除され易いのだが、仮に、この穀粒が案内部材の端縁部Ｄに目詰りした場合にも穀粒が回動された斜めの状態で目詰りすることとなり、次に案内されてくる穀粒を目詰りした穀粒の斜め面によって、選別筒７内部側へスムーズに案内するので、多数粒が選別孔１０に沿って並んで嵌合された状態、すなわち目詰り状態が発生することが極めて少なくなる。
【００１５】
又、このような選別筒７の目詰時の掃除等を行うために、選別筒７を取外すときは、前記選別フレーム５から選別カバー３５を外しておき、上端部の排出部の排出筒９を締付けているボルト３７を外して、この排出筒９を螺旋軸３上端部から外すことによって、選別筒７、及び供給筒６を螺旋軸３から容易に抜き外すことができる。
【００１６】
又、最下部の供給筒６は、螺旋軸３の下端部の外周部を覆い、供給漏斗４や排出口２０等を形成する部分を構成するが、この螺旋軸３の下端部を軸受するベアリング１８部を受ける軸受筒４２をベース板１６と一体構成として、基台１に取付けるように構成し、この軸受筒４２の上側に供給筒６、選別筒７、及び排出筒９を連接構成とすることも可能である。
【図面の簡単な説明】
【００１７】
【図１】揚穀選別機の側断面図と、一部の平断面図。
【図２】その分解状態を示す側面図。
【図３】選別筒部の側面図と、平断面図。
【図４】選別筒の目詰り防止作用を示す一部平断面図。
【図５】供給筒部の作用を示す平断面図。
【符号の説明】
【００１８】
１    基台
２    モータ
３    螺旋軸
４    供給漏斗
５    選別フレーム
６    供給筒
７    選別筒
８    排出口
９    排出筒
１０  選別孔
１１  選別板
１２  始端縁
１３  終端縁
【図１】
2009066470.tif 000003
【図２】
2009066470.tif 000004
【図３】
2009066470.tif 000005
【図４】
2009066470.tif 000006
【図５】
2009066470.tif 000007